(57)【要約】【課題】テレビ映像とＰＣ映像とをディスプレイ上に同時表示する際に、各映像を重ね合わせることなく表示することができる映像表示装置を提供する。【解決手段】ＰＣ内蔵テレビ１は、ＴＶユニット１０とＰＣユニット２０とを備えている。ＴＶユニット１０は、ＴＶ映像を生成するコンテンツ処理部１３、ディスプレイ２の表示領域においてＴＶ映像の表示される部分を除く領域にＰＣ映像を表示するようにレイアウトを指定する第２のレイアウト情報表示を送信する制御情報通信部１８、ＴＶ映像とＰＣ映像とを合成して合成映像を生成するコンテンツ合成部１４、および、合成映像をディスプレイ２に出力する映像出力部１１を含み、ＰＣユニット２０は、第２のレイアウト情報に基づいてＰＣ映像を生成するコンテンツ処理部２１、および、生成したＰＣ映像をＴＶユニット１０に送信するコンテンツ送信部２３を含む。【選択図】図１
2011119992.tif 000002
【特許請求の範囲】
【請求項１】
第１の映像を生成する第１のユニットと、第２の映像を生成する第２のユニットとを備えた映像表示装置であって、
上記第１のユニットは、
ディスプレイにおける映像表示領域の一部に表示される第１の映像の表示レイアウトを指定する予め定められた第１のレイアウト情報に基づいて、当該第１の映像を生成する第１の映像生成手段と、
上記第２のユニットの生成する第２の映像であって、上記映像表示領域の残りの部分に表示される第２の映像の表示レイアウトを指定する第２のレイアウト情報を送信するレイアウト情報送信手段と、
上記第１の映像生成手段において生成した第１の映像と、上記第２のユニットにおいて生成された第２の映像とを合成して合成映像を生成する合成映像生成手段と、
上記合成映像生成手段において生成した合成映像を上記映像表示領域に表示する表示手段と、を備えており、
上記第２のユニットは、
上記レイアウト情報送信手段から送信される第２のレイアウト情報に基づいて、第２の映像を生成する第２の映像生成手段と、
上記第２の映像生成手段において生成した第２の映像を第１のユニットに送信する映像送信手段と、を備えていることを特徴とする映像表示装置。
【請求項２】
上記第１のユニットは、上記映像表示領域の形状および上記第１のレイアウト情報により指定される第１の映像の表示レイアウトの形状に基づいて、上記第２のレイアウト情報を生成するレイアウト情報生成手段を備えていることを特徴とする請求項１に記載の映像表示装置。
【請求項３】
上記第１のユニットは、アンテナを通じて放送波を受信する放送波受信手段を備えており、
上記第１の映像生成手段は、上記放送波受信手段において受信した放送波をデコードすることにより第１の映像を生成することを特徴とする請求項１または２に記載の映像表示装置。
【請求項４】
上記第２のユニットは、アプリケーションを実行する実行手段を備えており、
上記第２の映像生成手段は、上記実行手段においてアプリケーションを実行する際に第２の映像を生成することを特徴とする請求項１から３のいずれか１項に記載の映像表示装置。
【請求項５】
上記第１のレイアウト情報は、上記第１の映像の表示レイアウトの形状を矩形に指定する情報を含むことを特徴とする請求項１から４のいずれか１項に記載の映像表示装置。
【請求項６】
上記第２の映像は、上記実行手段において実行される時計アプリケーション、メールアプリケーション、ニュース表示アプリケーション、メッセージ表示アプリケーションの示すウィンドウの少なくともいずれかを表示した映像であることを特徴とする請求項４に記載の映像表示装置。
【請求項７】
上記第１の映像は、上記放送波受信手段において受信した放送波をデコードすることにより得られる映像の一部を示す映像であることを特徴とする請求項３に記載の映像表示装置。
【請求項８】
上記第２のユニットは、上記第１のユニットから着脱可能であることを特徴とする請求項１から７のいずれか１項に記載の映像表示装置。
【請求項９】
上記第２のユニットは、上記第１のユニットの筐体本体に内蔵されていることを特徴とする請求項１から７のいずれか１項に記載の映像表示装置。
【請求項１０】
第１の映像を生成する第１のユニットと、第２の映像を生成する第２のユニットとを備えた映像表示装置における映像表示方法であって、
上記第１のユニットが、ディスプレイにおける映像表示領域の一部に表示される第１の映像の表示レイアウトを指定する予め定められた第１のレイアウト情報に基づいて、当該第１の映像を生成する第１の映像生成ステップと、
上記第１のユニットが、上記第２のユニットの生成する第２の映像であって、上記映像表示領域の残りの部分に表示される第２の映像の表示レイアウトを指定する第２のレイアウト情報を送信するレイアウト情報送信ステップと、
上記第２のユニットが、上記レイアウト情報送信ステップにおいて送信される第２のレイアウト情報に基づいて、第２の映像を生成する第２の映像生成ステップと、
上記第２のユニットが、上記第２の映像生成ステップにおいて生成した第２の映像を第１のユニットに送信する映像送信ステップと、
上記第１のユニットが、上記第１の映像生成ステップにおいて生成した第１の映像と、上記第２の映像生成ステップにおいて生成した第２の映像とを合成して合成映像を生成する合成映像生成ステップと、
上記合成映像生成ステップにおいて生成した合成映像を上記映像表示領域に表示する表示ステップと、
を含むことを特徴とする映像表示方法。
【請求項１１】
請求項１から９のいずれか１項に記載の映像表示装置における第１のユニットが備えているコンピュータを動作させるプログラムであって、上記コンピュータを上記第１のユニットに備えられた各手段として機能させるためのプログラム。
【請求項１２】
請求項１から９のいずれか１項に記載の映像表示装置における第１のユニットが備えているコンピュータを動作させるプログラムであって、上記コンピュータを上記第２のユニットに備えられた各手段として機能させるためのプログラム。
【請求項１３】
請求項１１または１２に記載のプログラムを記録しているコンピュータ読み取り可能な記録媒体。
【発明の詳細な説明】
【技術分野】
【０００１】
本発明は、複数のユニットによって構成される映像表示装置、当該映像表示装置における映像表示方法、プログラムおよび記録媒体に関する。
【背景技術】
【０００２】
近年、放送番組を視聴しながら、同一画面上で別の映像を見たいという要望が、視聴者の間に高まっている。これを背景に、子画面を用いて放送番組以外の他の映像を表示する技術が色々と提案されている。
【０００３】
特許文献１には、テレビ画面とインターネットに接続して得られたブラウザ画面を同時にディスプレイに表示する映像表示装置が開示されている。
【０００４】
特許文献２には、デジタル放送を高解像度で短時間に視聴するとともに、ユーザーのＴＶ／ＰＣ機能をシームレスに選択できるテレビ機能付きパーソナルコンピュータが開示されている。
【０００５】
特許文献３には、ＰＣの負荷を増加することなくテレビや録画番組の視聴ができ、ＰＣ作業中にＰＣモニタ上の任意の位置にオーバーレイ表示によるテレビ画像を小画面表示することができるとともに、作業域とテレビのオーバーレイ領域が重なり操作性が悪くなった場合にも、作業域を任意の位置へ移動させ、かつ任意の大きさに変更することができ、操作性を大幅に改善することができる画像処理装置が開示されている。
【先行技術文献】
【特許文献】
【０００６】
【特許文献１】特開２００８−７９０７７（公開日：２００８年４月３日）
【特許文献２】特開２００６−３１０８９６（公開日：２００６年１１月９日）
【特許文献３】特開２００７−３１１９５８（公開日：２００７年１１月２９日）
【発明の概要】
【発明が解決しようとする課題】
【０００７】
しかし、上述した従来技術には次のような問題がある。
【０００８】
特許文献１の技術では、ブラウザ機能をテレビ装置の中で実現している。この構成では、テレビ装置のソフトウェアおよびハードウェアは、コンピュータのそれらに比べて貧弱であるため、限られたサービスしか処理できない。特に、インターネットを通じて提供されるサービスは日々進化しているため、特許文献１の技術では、オンラインゲームおよび動画再生サービスなど処理に多大な負荷を要する数多くのサービスには対応できない。その結果、ユーザーに対して極僅かなサービスを提供できるに留まる。特許文献２の技術にも同様の問題がある。
【０００９】
特許文献３の技術では、テレビと外部ＰＣとを接続することによって、テレビ画面とＰＣ画面とを混在させて表示する。この技術では、別体の２つの装置を互いに接続するため、配線等が複雑になる。結果、装置の設置および持ち運びが面倒なものとなる。また、テレビ放送の処理とコンピュータの処理とが互いに無関係に動作しているため、それぞれを別々の操作装置で操作せざるを得ない。また、両者の連携を実現することは困難である。
【００１０】
また、例えば特許文献３などの従来の技術では、テレビ映像を視聴しているときには、ＰＣ画面の一部がテレビ映像を表示する表示領域の背面に隠れてしまう。したがって、テレビ映像が表示される表示領域の背面に配置されているアイコンまたはアプリケーションウィンドウを操作する度に、テレビ映像の表示領域の位置を変えなければならず、ユーザーに煩雑な操作を強いるという問題を有している。
【００１１】
本発明は、上記の問題点に鑑みてなされたものであり、その主たる目的は、テレビ映像とＰＣ映像とをディスプレイ上に同時表示する際に、各映像を重ね合せることなく表示することができる映像表示装置を提供することにある。
【課題を解決するための手段】
【００１２】
本発明に係る映像表示装置は、上記課題を解決するために、
第１の映像を生成する第１のユニットと、第２の映像を生成する第２のユニットとを備えた映像表示装置であって、
上記第１のユニットは、
ディスプレイにおける映像表示領域の一部に表示される第１の映像の表示レイアウトを指定する予め定められた第１のレイアウト情報に基づいて、当該第１の映像を生成する第１の映像生成手段と、
上記第２のユニットの生成する第２の映像であって、上記映像表示領域の残りの部分に表示される第２の映像の表示レイアウトを指定する第２のレイアウト情報を送信するレイアウト情報送信手段と、
上記第１の映像生成手段において生成した第１の映像と、上記第２のユニットにおいて生成された第２の映像とを合成して合成映像を生成する合成映像生成手段と、
上記合成映像生成手段において生成した合成映像を上記映像表示領域に表示する表示手段と、を備えており、
上記第２のユニットは、
上記レイアウト情報送信手段から送信される第２のレイアウト情報に基づいて、第２の映像を生成する第２の映像生成手段と、
上記第２の映像生成手段において生成した第２の映像を第１のユニットに送信する映像送信手段と、を備えていることを特徴としている。
【００１３】
本発明に映像表示装置では、第１のユニットが第２のユニットの生成する第２の映像であって、映像表示領域において第１の映像の表示される部分を除く残りの部分に表示される第２の映像第２の映像の表示レイアウトを指定した第２のレイアウト情報を送信するレイアウト情報送信手段を備えており、第２のユニットがレイアウト情報送信手段から送信される第２のレイアウト情報に基づいて、第２の映像を生成する第２の映像生成手段を備えている。そして、第１のユニットが、自ユニットにおいて生成した第１の映像と第２のユニットにおいて生成された第２の映像とを合成して合成映像を生成し、それを映像表示領域に表示する。
【００１４】
このように、本発明に係る映像表示装置では、第１のユニットにおいて生成される第１の映像と第２のユニットにおいて生成される第２の映像とを同時にディスプレイに表示する際に、第１の映像および第２の映像のいずれか一方の映像が、他方の映像の一部分に重なり合うことにより、他方の映像の一部が表示されなくなることを防ぐことができる。
【００１５】
すなわち、本発明に係る映像表示装置では、第１のユニットが表示すべき全ての映像および第２のユニットが表示すべき全ての映像を、同時にディスプレイにおける映像表示領域に表示することができる効果を奏する。
【００１６】
これにより、ユーザーは、煩雑な操作を強いられることなく、ディスプレイ上に表示されるべき全ての映像を確認することができる。
【００１７】
なお、第１のユニットが表示すべき全ての映像とは、本発明に係る映像表示装置からディスプレイに対して出力される第１のユニットにおいて処理された映像データの全てであることを意味しており、第２のユニットが表示すべき全ての映像とは、本発明に係る映像表示装置からディスプレイに対して出力される第２のユニットにおいて処理された映像データの全てであることを意味している。
【００１８】
また、レイアウトとは、表示される映像の形状、大きさおよび位置などの表示形態全般を指すものであり、レイアウト情報とはレイアウトを指定するためのパラメータを含む情報を意味している。
【００１９】
本発明に係る映像表示装置では、さらに、上記第１のユニットは、上記映像表示領域の形状および上記第１のレイアウト情報により指定される第１の映像の表示レイアウトの形状に基づいて、上記第２のレイアウト情報を生成するレイアウト情報生成手段を備えていることが好ましい。
【００２０】
上記の構成によれば、本発明に係る映像表示装置における第１のユニットでは、上記合成映像を表示するディスプレイにおける映像表示領域の形状および上記第１のレイアウト情報基づいて生成される第１の映像の形状に基づいて、上記第２のレイアウト情報を生成する。
【００２１】
これによって、本発明に係る映像表示装置では、第１のレイアウト情報を変更した場合であっても、第１のレイアウト情報の変更に応じて第２のレイアウト情報を生成することができる効果を奏する。
【００２２】
本発明に係る映像表示装置では、さらに、上記第１のユニットは、アンテナを通じて放送波を受信する放送波受信手段を備えており、上記第１の映像生成手段は、上記放送波受信手段において受信した放送波をデコードすることにより第１の映像を生成することが好ましい。
【００２３】
上記の構成によれば、第１のユニットが放送波をデコードすることにより得られる映像を生成するユニットとしての機能を有している。すなわち、上記の構成によれば、第１のユニットは、いわゆるテレビジョン受像機の一種として実現されることになる。
【００２４】
本発明に係る映像表示装置では、さらに、上記第２のユニットは、アプリケーションを実行する実行手段を備えており、上記第２の映像生成手段は、上記実行手段においてアプリケーションを実行する際に第２の映像を生成することが好ましい。
【００２５】
上記の構成によれば、第２のユニットをアプリケーションを実行することにより得られる映像を生成するユニットとして構成することができる。すなわち、上記の構成によれば、第２のユニットは、汎用コンピュータとしての機能を有することになる。
【００２６】
また、特に、第１のユニットがテレビジョン受像機としての機能を有する場合、本発明に係る映像表示装置は、コンピュータ内蔵のテレビジョン装置として実現されることになる。
【００２７】
本発明に係る映像表示装置では、さらに、上記第１のレイアウト情報は、上記第１の映像の表示レイアウトの形状を矩形に指定する情報を含むことが好ましい。
【００２８】
上記の構成によれば、第１の映像を快適に確認しつつ、映像表示領域に無駄を生じさせることなく第２の映像を表示することができる効果を奏する。
【００２９】
また、例えば、第１の映像がＴＶユニットにおいて生成されるＴＶ映像であった場合には、ユーザーは第１の映像を通常と変わらない形状で観賞することができるため、第１の映像を観賞する際に負荷が生じない。
【００３０】
本発明に係る映像表示装置では、さらに、上記第２の映像は、上記実行手段において実行される時計アプリケーション、メールアプリケーション、ニュース表示アプリケーション、メッセージ表示アプリケーションの示すウィンドウの少なくともいずれかを表示した映像であることが好ましい。
【００３１】
上記の構成によれば、ユーザーがＰＣユニットを起動させている際に確認したいと感じる情報を容易に確認することができる効果を奏する。
【００３２】
本発明に係る映像表示装置では、さらに、上記第１の映像は、上記放送受信手段において受信した放送波をデコードすることにより得られる映像の一部を示す映像であることが好ましい。
【００３３】
上記の構成によれば、第１の映像を表示する表示領域の大きさが小さくなることにより、第１の映像に表示される情報（例えば、文字または図形）が認識しづらい場合に、ユーザーはその情報（例えば、文字または図形）を認識することができる効果を奏する。
【００３４】
本発明に係る映像表示装置では、さらに、上記第２のユニットは、上記第１のユニットから着脱可能であることが好ましい。
【００３５】
上記の構成によれば、第２のユニットを第１のユニットから取り外し、取り外した第２のユニットとは別の第２のユニットを第１のユニットに取り付けることができる。
【００３６】
これによって、例えば、第２のユニットのみを別に購入し、取り替えるという使用を実現することができる。すなわち、本発明に係る映像表示装置の拡張性を高めることができる効果を奏する。また、第２のユニットが故障した場合であっても、第２のユニットのみを修理することができるため、保守性についても高めることができる効果を奏する。
【００３７】
本発明に係る映像表示装置では、さらに、上記第２のユニットは、上記第１のユニットの筐体本体に内蔵されていることが好ましい。
【００３８】
上記の構成によれば、第２のユニットが第１のユニットの筐体内部に内蔵されているため、外部の環境から第２のユニットを保護することができる効果を奏する。
【００３９】
本発明に係る映像表示方法は、上記課題を解決するために、
第１の映像を生成する第１のユニットと、第２の映像を生成する第２のユニットとを備えた映像表示装置における映像表示方法であって、
上記第１のユニットが、ディスプレイにおける映像表示領域の一部に表示される第１の映像の表示レイアウトを指定する予め定められた第１のレイアウト情報に基づいて、当該第１の映像を生成する第１の映像生成ステップと、
上記第１のユニットが、上記第２のユニットの生成する第２の映像であって、上記映像表示領域の残りの部分に表示される第２の映像の表示レイアウトを指定する第２のレイアウト情報を送信するレイアウト情報送信ステップと、
上記第２のユニットが、上記レイアウト情報送信ステップにおいて送信される第２のレイアウト情報に基づいて、第２の映像を生成する第２の映像生成ステップと、
上記第２のユニットが、上記第２の映像生成ステップにおいて生成した第２の映像を第１のユニットに送信する映像送信ステップと、
上記第１のユニットが、上記第１の映像生成ステップにおいて生成した第１の映像と、上記第２の映像生成ステップにおいて生成した第２の映像とを合成して合成映像を生成する合成映像生成ステップと、
上記合成映像生成ステップにおいて生成した合成映像を上記映像表示領域に表示する表示ステップと、
を含むことを特徴としている。
【００４０】
上記の構成によれば、本発明に係る映像表示装置と同様の作用効果を奏する。
【００４１】
また、本発明に係る映像表示装置における第１のユニットを動作させるためのプログラムであって、コンピュータを第１のユニットに含まれる各手段として機能させることを特徴とするプログラム、および、本発明に係る映像表示装置における第２のユニットを動作させるためのプログラムであって、コンピュータを第２のユニットに含まれる各手段として機能させることを特徴とするプログラムについても本発明の範疇に含まれる。
【００４２】
さらに、それらのプログラムの少なくとも一方を記録したコンピュータ読み取り可能な記録媒体も本発明の範疇に含まれる。
【発明の効果】
【００４３】
以上説明したように、本発明に映像表示装置では、第１のユニットが第２のユニットの生成する第２の映像であって、映像表示領域において第１の映像の表示される部分を除く残りの部分に表示される第２の映像第２の映像の表示レイアウトを指定した第２のレイアウト情報を送信するレイアウト情報送信手段を備えており、第２のユニットがレイアウト情報送信手段から送信される第２のレイアウト情報に基づいて、第２の映像を生成する第２の映像生成手段を備えている。そして、第１のユニットが、自ユニットにおいて生成した第１の映像と第２のユニットにおいて生成された第２の映像とを合成して合成映像を生成し、それを映像表示領域に表示する。
【００４４】
これによって、本発明に係る映像表示装置では、第１のユニットが表示すべき全ての映像および第２のユニットが表示すべき全ての映像を、同時にディスプレイにおける映像表示領域に表示することができる効果を奏する。すなわち、ユーザーは、煩雑な操作を強いられることなく、ディスプレイ上に表示されるべき全ての映像を確認することができる。
【図面の簡単な説明】
【００４５】
【図１】実施形態に係るＰＣ内蔵テレビの要部構成を示すブロック図である。
【図２】実施形態に係るＰＣ内蔵テレビの外観を示す図であり、（ａ）はＰＣ内蔵テレビを表示画面側から見た場合の外観を示し、（ｂ）はＰＣ内蔵テレビを横から見た場合の外観を示す。
【図３】実施形態に係るＰＣ内蔵テレビの詳細な内部構成を示すブロック図である。
【図４】実施形態に係るＰＣ内蔵テレビの信号伝達の流れを示す図であり、（ａ）は、リモコンを使用してＰＣ内蔵テレビを操作する際の信号伝達の流れを示し、（ｂ）は、入力装置を使用してＰＣ内蔵テレビを操作する際の信号伝達の流れを示している。
【図５】実施形態に係るＰＣ内蔵テレビにおける合成映像の生成を模式的に示す図である。
【図６】ディスプレイに表示される合成映像の一例を示す図である。
【図７】実施形態に係るＰＣ内蔵テレビにおける合成映像の生成の変形例を模式的に示す図である。
【図８】ディスプレイに表示される合成映像の他の例を示す図である。
【図９】２つのＴＶ映像と１つのＰＣ映像とを合成することにより得られる合成映像の一例を示す図である。
【図１０】ＴＶ映像をスクロールさせることにより映像の下部に表示されている字幕を認識できるようにする様子を示す図であり、（ａ）はＴＶ映像を上側にスクロールしており、（ｂ）は（ａ）に示す状態よりもさらにＴＶ映像を上側にスクロールしており、（ｃ）は（ｂ）に示す状態よりもさらにＴＶ映像を上側にスクロールしている。
【図１１】実施形態に係るＰＣ内蔵テレビの変形例の外観を示す図であり、（ａ）は、着脱可能なＰＣユニットがＴＶユニットに装着された後のＰＣ内蔵テレビを表示画面側から見た場合の外観を示す図であり、（ｂ）は、着脱可能なＰＣユニットがＴＶユニットに装着される前のＰＣ内蔵テレビを背面側から見た場合の外観を示す図である。
【図１２】実施形態に係るＰＣ内蔵テレビの変形例の要部構成を示すブロック図である。
【発明を実施するための形態】
【００４６】
本発明に係るＰＣ内蔵テレビ１の一実施形態について、図１〜図１２を参照して以下に説明する。本実施形態では、本発明に係るＰＣ内蔵テレビ１における合成映像の生成処理を説明するに先立って、ＰＣ内蔵テレビ１の構成などについて以下に説明する。
【００４７】
（ＴＶユニット１０の外観）
まず、ＰＣ内蔵テレビ１の外観について、図２を参照して以下に説明する。図２（ａ）は、本発明の一実施形態に係るＰＣ内蔵テレビ１を表示画面側から見た場合の外観を示す図である。図２（ｂ）は、ＰＣ内蔵テレビ１を横（ＰＣユニット２０の設置側）から見た場合の外観を示す図である。
【００４８】
図２（ａ）および（ｂ）に示すように、ＰＣ内蔵テレビ１（コンテンツ再生装置）は、ＴＶユニット１０（第１のユニット）にＰＣユニット２０（第２のユニット）が設けられた構成の装置である。本実施形態のＴＶユニット１０は、液晶テレビジョン装置としての構成および機能を備えたサブユニット（サブシステム）である。一方、ＰＣユニット２０はいわゆるパーソナルコンピュータとしての構成および機能を備えたサブユニット（サブシステム）である。両者が一体化されて一つのＰＣ内蔵テレビ１を構成する。さらに両者は互いに連携して動作することによって、ユーザーに対し、これまでにない充実したコンテンツ再生（視聴、閲覧）体験を提供する。
【００４９】
ユーザーはリモコン９を使用してＰＣ内蔵テレビ１を操作する。リモコン９さえあれば、ＴＶユニット１０を操作して放送番組を視聴することができる。さらに、同じリモコン９を使用することによって、ＰＣユニット２０を操作して各種のソフトウェアアプリケーションを実行したり、インターネット上のウェブサイトにアクセスしてウェブページを閲覧したりすることができる。
【００５０】
（ＰＣ内蔵テレビ１の要部構成）
ＰＣ内蔵テレビ１の内部構成および機能について、図１を参照して以下に説明する。図１は、本発明の一実施形態に係るＰＣ内蔵テレビ１の要部構成を示すブロック図である。
【００５１】
図１に示すように、ＰＣ内蔵テレビ１のＴＶユニット１０は、映像出力部１１、音声出力部１２、コンテンツ処理部１３、コンテンツ合成部１４、コンテンツ取得部１５、コンテンツ受信部１６、ユーザ入力部１７、制御情報通信部１８および制御部１９を備えている。一方、ＰＣユニット２０は、コンテンツ処理部２１、コンテンツ取得部２２、コンテンツ送信部２３、記憶部２４、制御情報通信部２５、ユーザ入力部２６、制御部２７およびアプリケーション実行部２８を備えている。
【００５２】
本実施形態ＰＣ内蔵テレビ１は、映像の合成機能を有している。具体的には、ＴＶユニット１０は、放送波（テレビ放送）を受信してデコードすることによって、放送番組を取得する。ＰＣユニット２０は、ウェブページ、動画コンテンツ等などのＰＣコンテンツを取得しＴＶユニット１０に提供する。ＴＶユニット１０は、少なくとも放送番組内の映像（第１の映像）およびＰＣコンテンツ内の映像（第２の映像）を合成して一つの合成映像を生成し、ディスプレイ２に出力する。これによりディスプレイ２は当該合成映像を表示する。ディスプレイ２は、たとえば液晶ディスプレイ、プラズマディスプレイ、有機ＥＬディスプレイとして実現される。
【００５３】
（ＴＶユニット１０の詳細）
ＴＶユニット１０に備えられる各ブロックの機能について、それぞれ以下に説明する。
【００５４】
映像出力部１１は、コンテンツ合成部１４から送られた映像信号をディスプレイ２に出力する。
【００５５】
音声出力部１２は、コンテンツ合成部１４から送られた音声信号をスピーカ３に出力する。
【００５６】
コンテンツ処理部１３は、コンテンツ取得部１５から入力されたコンテンツを処理する。本実施形態では、受信された放送波をデコードして放送番組（ＴＶ映像）を生成し、コンテンツ合成部１４に出力する。本発明において、ＴＶ映像をどのように生成するのかについては、下記に説明する。
【００５７】
コンテンツ合成部１４は、コンテンツ処理部１３から入力された放送番組（ＴＶ映像）、および、コンテンツ受信部１６がＰＣユニット２０から受信したＰＣコンテンツ（ＰＣ映像）を合成して、一つの合成映像を生成する。
【００５８】
コンテンツ取得部１５は、アンテナ４を通じて放送波を受信し、コンテンツ処理部１３に出力する。なお、放送波の受信方法はアンテナ４を通じたものに限定されない。コンテンツ取得部１５は、ケーブルテレビ放送網を通じて放送波を受信することもできる。他にも、インターネット８を通じてＩＰ放送データ（ＩＰ放送波）を受信することもできる。
【００５９】
また、コンテンツ取得部１５に入力される映像としては、放送などリアルタイムの映像に限定されるものではない。他にも、録画再生機器（レコーダ装置）などにより再生されるコンテンツなどのＨＤＭＩケーブルまたはビデオケーブルなどを介して入力される外部入力映像を使用することもできる。
【００６０】
コンテンツ受信部１６は、ＰＣユニット２０から送信されたＰＣコンテンツを受信し、コンテンツ合成部１４に出力する。
【００６１】
ユーザ入力部１７は、ユーザーによるＰＣ内蔵テレビ１に対する入力操作を受け付ける。具体的には、たとえばユーザーによる入力操作に応じてリモコン９が発した信号を受信し、制御部１９に出力する。他にも、ＴＶユニット１０本体へのユーザーの直接操作によって発生せられた信号を受信することもできる。
【００６２】
制御情報通信部１８は、ＰＣユニット２０と制御情報をやり取りする。具体的には、制御情報をＰＣユニット２０の制御情報通信部２５に送信したり、あるいは、制御情報通信部２５から送信された制御情報を受信したりする。
【００６３】
ここで、制御情報には、例えば、ＰＣユニット２０ａまたはＴＶユニット１０ａを操作するための操作情報が含まれる。他にも、取得したコンテンツを他方のユニットに提供すべき旨を規定した情報が含まれる。さらに、コンテンツを取得するためのアクセス情報（リンク情報）が含まれる。
【００６４】
また、ＰＣユニット２０からＴＶユニット１０に対して送信される制御情報としては、ＰＣユニット２０において生成されるＰＣ映像の表示形状など（表示レイアウト）を指定するレイアウト情報などを挙げることができる。
【００６５】
制御部１９は、ＴＶユニット１０を構成する各ブロックを統括制御する。
【００６６】
（ＰＣユニット２０の詳細）
ＰＣユニット２０を構成する各ブロックの機能について、以下に説明する。
【００６７】
コンテンツ処理部２１は、コンテンツ取得部２２が取得したＰＣコンテンツを処理する。
【００６８】
コンテンツ取得部２２は、外部からＰＣコンテンツを取得する。たとえば、記録ディスク７またはインターネット（通信ネットワーク）８からＰＣコンテンツを取得する。ＰＣコンテンツは、コンピュータによって処理され再生可能なコンテンツのことである。たとえばテキスト、映像、音声、動画等のコンテンツがこれに該当し、さらにこれらの組み合わせからなるマルチメディアコンテンツも該当する。他にも、ウェブページもＰＣコンテンツに含まれる。これらのＰＣコンテンツは各所から取得できる。取得先はたとえばインターネット８上のウェブサイト、ＰＣ内蔵テレビ１に接続された外部装置、および記録ディスク７である。
【００６９】
コンテンツ送信部２３は、コンテンツ処理部２１が処理したコンテンツをコンテンツ受信部１６へ送信する。
【００７０】
記憶部２４は、各種のＰＣコンテンツを記憶する。たとえば、ハードディスク、フラッシュメモリ等の不揮発性の記憶装置として実現される。記憶部２４には、ＰＣコンテンツに加えて、アプリケーション実行部２８によって実行される各種のソフトウェアアプリケーションが記憶されている。
【００７１】
制御情報通信部２５は、制御情報通信部１８と制御情報のやり取りをする。具体的には、制御情報をＴＶユニット１０の制御情報通信部１８に送信したり、あるいは、制御情報通信部１８から送信された制御情報を受信したりする。
【００７２】
ユーザ入力部２６は、ユーザーによるＰＣ内蔵テレビ１に対する入力操作を受け付ける。具体的には、ユーザーによる入力操作に応じて操作装置（本実施形態ではマウス５およびキーボード６）が発した信号を受信し、制御部２７に出力する。当該操作装置の他の例として、トラックボールおよびトラックパッドなどのポインティングデバイス、ならびにジョイスティックも含まれる。
【００７３】
制御部２７は、ＰＣユニット２０における各種動作を制御する。
【００７４】
アプリケーション実行部２８は、記憶部２４に記憶されているソフトウェアアプリケーションを読み出して実行する。
【００７５】
（ＰＣ内蔵テレビ１の詳細な内部構成）
次に、ＰＣ内蔵テレビ１の詳細な内部構成について、図３を参照して説明する。図３は、本実施形態に係るＰＣ内蔵テレビ１の詳細な内部構成を示すブロック図である。図１に示す各機能ブロックは、図３に示す各ブロックのいずれかまたはその組み合わせによって、実現される。
【００７６】
ＲＦ（Ｒａｄｉｏ  Ｆｒｅｑｕｅｎｃｙ）受信部１０１は、外部から送られてくる信号を受信する。すなわち、ＲＦ受信部１０１は、例えば、地上波デジタル放送により伝送される映像信号などのデジタル放送信号を受け付ける映像信号入力部である。なお、ＲＦ部１０１が受信する信号は、地上波デジタル放送波として送られてくる信号に限定されるものではなく、例えば、一般のアナログ放送、衛星放送、またはケーブルテレビ放送により伝送される映像信号であってもよい。
【００７７】
ＲＦ受信部１０１が受信する映像信号の形式としては、例えば、デジタル放送の場合はＭＰＥＧ２またはＭＰＥＧ４形式でデジタル化された映像信号を挙げることができる。また、ＲＦ受信部１０１に入力される信号は、上記の映像信号に限定されるものではなく、例えば、デジタル化されたオーディオ信号、データ放送、電子番組表情報またはネットワーク情報などのデジタル放送信号（放送波）であってもよい。
【００７８】
デモジュレータ１０２は、ＲＦ受信部１０１に入力されたデジタル放送信号を復調し、デコーダ１０３に送る。
【００７９】
デコーダ１０３は、例えばＭＰＥＧ２ＴＳなどの復調された信号を、ビデオ成分（信号）とオーディオ成分（信号）とに分解する。また、デコーダ１０３は、分解した信号のうちビデオ信号をデコードし、オーディオ信号をオーディオプロセッサ１０４に送る。このとき、オーディオ信号に付随するデータは、ＣＰＵ１０９に送られ、そこで処理される。
【００８０】
オーディオプロセッサ１０４は、デコーダ１０３から受け取ったオーディオ信号をデコードする。なお、オーディオ信号には多数のフォーマットがあるため、通常、オーディオ信号のデコード処理はオーディオプロセッサ１０４にて行う。しかしながら、これに限定されるものではなく、デコーダ１０３またはＣＰＵ１０９において、オーディオ信号をデコードしてもよい。処理されたオーディオ信号は、スピーカ１０５に送られる。
【００８１】
スピーカ１０５は、オーディオプロセッサ１０４においてデコードされたオーディオ信号を出力する。なお、本実施形態では、表示部１１２およびスピーカ１０５を備えたテレビの形態を示すが、これに限定されるものではなく、例えば、ＢＤ（Ｂｌｕ−Ｒａｙ）レコーダまたはＳＴＢ（Ｓｅｔ  Ｔｏｐ  Ｂｏｘ）などの場合、スピーカ１０５の代わりに、外部機器にオーディオ信号を出力してもよい。
【００８２】
リモコン通信部１０６は、図示しないリモコンからの制御信号を受信する。制御信号を送信するリモコンとしては、例えば、１方向に信号を送信する赤外線リモコン、または双方向に信号を送信する無線リモコンが挙げられる。リモコン通信部１０６が受信した制御信号は、ＣＰＵ１０９に送られる。
【００８３】
外部入力部１０７は、ＰＣユニット２０の映像出力部２０８から出力された信号を受信する。外部入力部１０７としては、例えば、ＨＤＭＩインターフェースまたはＤＶＩ−Ｄ端子などが挙げられる。また、外部入力部１０７が受信する信号は、デコードされたデータまたは圧縮形式のデータ（例えば、ＭＥＰＧ２またはＭＰＥＧ４形式のデータなど）を含む。
【００８４】
外部入力部１０７が受信したオーディオ信号は、オーディオプロセッサ１０４に出力される。一方、外部入力部１０７が受信した映像信号は、グラフィックメモリ１１０に出力され、展開される。また、例えば、外部入力部１０７が受信した映像信号が圧縮画像であった場合、受信した映像信号は、デコーダ１０３をいったん経由してグラフィックメモリ１１０に送られる。なお、デコーダ１０３を経由するか否かによって、グラフィックメモリ１１０に出力される映像信号に本質的な差異は生じない。
【００８５】
メモリ１０８は、プログラムまたはデータを格納するメモリである。
【００８６】
ＣＰＵ１０９は、ＴＶユニット１０全体の制御を行うＣＰＵである。
【００８７】
グラフィックメモリ１１０は、２つ以上の映像および表示データを保持する。表示データとしては、例えば、データ放送、およびＯＳＤ（オンスクリーンディスプレイ）データ、および設定メニューなどのデータが挙げられる。グラフィックメモリ１１０は、複数のプレーンからなり、それぞれのプレーンを重ね合わせたり、アルファブレンディングを行ったりすることが可能である。
【００８８】
グラフィックコントローラ１１１は、グラフィックメモリ１１０に保持される映像および表示データを合成し、１画面を作成する。すなわち、グラフィックコントローラ１１１は、ＣＰＵ１０９からの制御に応じて、例えば、複数のプレーンの拡大縮小または位置設定などを行い、合成して最終画面を作り出す。この最終画面は、表示部１１２へ送られる。なお、グラフィックメモリ１１０およびグラフィックコントローラ１１１は、図１に示したコンテンツ合成部１４に相当する。
【００８９】
表示部１１２は、グラフィックコントローラ１１１から受け取った映像を表示する。例えば液晶パネルなどの表示デバイスに映像を表示してもよいし、外部機器に映像データを出力してもよい。
【００９０】
ＬＡＮ（Ｌｏｃａｌ  Ａｒｅａ  Ｎｅｔｗｏｒｋ）コントローラ１１３は、ネットワークを通じて外部機器と接続する。ＬＡＮコントローラ１１３は、ＤＬＮＡ（Ｄｉｇｉｔａｌ  Ｌｉｖｉｎｇ  Ｎｅｔｗｏｒｋ  Ａｌｌｉａｎｃｅ）などのホームネットワーク規格によって他の機器と接続しても、インターネットを通じて映像サービスと接続してもよい。また、外部機器との接続は、有線または無線のどちらでもよい。なお、ＬＡＮコントローラ１１３から取得された映像信号は、特に限定されないが、ＲＦ受信部１０１を通じて取得された映像信号と同様に扱うことが好ましい。
【００９１】
Ｉ／Ｆ部１１４は、ＬＡＮ、ＵＳＢまたはシリアルなどを制御するインターフェース部である。Ｉ／Ｆ部１１４では、静止画などを含む制御情報をＰＣユニット２０とやり取りする。なお、Ｉ／Ｆ部１１４における制御情報の送受信方式は、特に限定されない。
【００９２】
電源部１１５は、ＴＶユニット１０における電源回路である。また、電源部２０４は、ＰＣユニット２０における電源回路である。これらの電源部１１５，２０４は、共通の電源１５０から電力の供給を受ける。この際、１つのＡＣプラグによって電力の供給を受けることが望ましい。
【００９３】
入力部２０１は、外部からの入力を受け付ける。このように、ＰＣユニット２０は、独自の入力部が存在し得る。入力部２０１としては、例えば、Ｂｌｕｅｔｏｏｔｈのワイヤレスキーボードまたはワイヤレスマウスなどを利用できることが好ましい。
【００９４】
ＩＯプロセッサ２０２は、各種外部インターフェースを制御する。
【００９５】
ＬＡＮコントローラ２０３は、ＩＰネットワークと接続する。なお、ＬＡＮコントローラ１１３とＬＡＮコントローラ２０３とは、互いに１つのＩＰアドレスを共用することが好ましい。また、ＴＶユニット１０およびＰＣユニット２０において、それぞれ個別のＬＡＮコントローラ１１３、２０３を備えている場合、ＰＣ内蔵のテレビ１の内部においてブリッジ機能を有することが好ましい。これにより、例えば、有線ＬＡＮを接続する場合に、１つのＬＡＮケーブルを挿すだけで、ＴＶユニット１０およびＰＣユニット２０を同時にネットワークに接続させることができる。
【００９６】
メモリ２０５は、各種制御を行うＣＰＵ２０６のメモリである。
【００９７】
ＣＰＵ２０６は、ＰＣユニット２０に含まれる各ブロックを統括的に制御する。例えば、圧縮されたＰＣコンテンツをソフトウェア的にデコードして、元のサイズのＰＣコンテンツに変換する。本実施形態において、ＰＣユニット２０は、ＴＶユニット１０におけるデコーダ１０３のようなハードウェアを備えていない。しかしながら、これに限定されるものではなく、例えば、ＰＣユニット２０がデコーダ１０３のようなハードウェアを備えていてもよい。
【００９８】
グラフィックコントローラ２０７は、映像描画時のグラフィック処理を高速化する。
【００９９】
映像出力部２０８は、グラフィックコントローラ２０７によって処理された映像信号を出力する。出力される映像信号の形式としては、例えばＨＤＭＩ規格のインターフェースを介して出力可能な形式などを挙げることができる。なお、オーディオ信号も映像信号と同様に、ＴＶユニット１０に出力される。
【０１００】
記憶部２０９は、インターネット８または記録ディスク７を通じて取得されたＰＣコンテンツを恒久的に記憶する。記憶部２０９としては、例えば、ハードディスク、ＢＤ（Ｂｌｕ−ｒａｙ  Ｄｉｓｃ）、ＤＶＤ（Ｄｉｇｉｔａｌ  Ｖｉｄｅｏ  Ｄｉｓｃ）またはＵＳＢ（Ｕｎｉｖｅｒｓａｌ  Ｓｅｒｉａｌ  Ｂｕｓ）メモリなどが挙げられる。ＣＰＵ２０６は、ネットワークを経由して取得した映像、または記憶部２０９に記憶されている映像を再生し、ＴＶユニット１０に送信する。
【０１０１】
ここで、映像とは、動画に限定されるものではなく、音楽、書籍（テキスト）、写真（静止画像）、スライドショー、ワープロドキュメント、またはゲームなどのアプリケーションが作成する画面が挙げられる。
【０１０２】
（ＰＣ内蔵テレビ１の操作方法）
図４（ａ）は、リモコン９を使用してＰＣ内蔵テレビ１を操作する際の信号伝達の流れを図である。図４（ｂ）は、入力装置（キーボード６またはマウス５）を使用してＰＣ内蔵テレビ１を操作する際の信号伝達の流れを図である。
【０１０３】
上述したように、ユーザーは、リモコン９を使用してＴＶユニット１０およびＰＣユニット２０の両方を操作できる。ユーザーの入力に応じてリモコン９が発信する信号（操作信号）は、ユーザ入力部１７を経由して制御部１９に入力される。制御部１９は、操作信号を解析することによって、ＴＶユニット１０を操作するための信号か、またはＰＣユニット２０を操作するための信号なのかを判定する。前者だと判定した場合には、操作信号の内容に応じて、ＴＶユニット１０内の各ブロックを制御する。これらの処理の結果、ユーザーはリモコン９を使用してＴＶユニット１０を操作できる。
【０１０４】
一方、制御部１９が操作信号がＰＣユニット２０を操作するための信号だと判定した場合には、ＰＣユニット２０を制御するための制御情報を生成し、制御情報通信部１８を通じてＰＣユニット２０に送信する。当該制御情報は制御情報通信部２５を経由してＰＣユニット２０の制御部２７に入力される。ＰＣユニット２０は、入力された制御情報に基づき、ＰＣユニット２０内の各ブロックを制御する。これらの処理の結果、ユーザーは、リモコン９を使用してＰＣユニット２０を操作できる。
【０１０５】
上述したように、ユーザーは、マウス５またはキーボード６（以下、操作装置と総称）を使用して、ＰＣユニット２０およびＴＶユニット１０の両方を操作できる。ユーザーの入力に応じて操作装置が発信する信号（操作信号）は、ユーザ入力部２６を経由して制御部２７に入力される。制御部２７は、操作信号を解析することによって、ＰＣユニット２０を操作するための信号か、またはＴＶユニット１０を操作するための信号なのかを判定する。前者だと判定した場合には、操作信号の内容に応じて、ＰＣユニット２０内の各ブロックを制御する。これらの処理の結果、ユーザーはマウス５またはキーボード６を使用してＰＣユニット２０を操作できる。
【０１０６】
一方、制御部２５は、操作信号がＴＶユニット１０を操作するための信号だと判定した場合には、ＴＶユニット１０を制御するための制御情報を生成し、制御情報通信部２５を通じてＴＶユニット１０に送信する。当該制御情報は制御情報通信部１８を経由してＴＶユニット１０の制御部１９に入力される。制御部１９は、入力された制御情報に基づき、ＴＶユニット１０内の各ブロックを制御する。これらの処理の結果、ユーザーは、操作装置（マウス５またはキーボード６）を使用してＴＶユニット１０を操作できる。
【０１０７】
以上のように、本実施形態のＰＣ内蔵テレビ１は、１つの操作装置を使用して、まったく異なる機能を持った２つのユニット（ＴＶユニット１０、ＰＣユニット２０）を操作できる。特に、ＰＣユニット２０の操作がリモコン９によって可能になる点は、ユーザーにとってのメリットが大きい。マウス５またはキーボード６に比べて、リモコン９の操作は洗練され、直感的で分かりやすいからである。したがって、本実施形態のＰＣ内蔵テレビ１を使用するユーザーは、ＰＣユニット２０によって提供される各種のサービス（アプリケーションの実行、ウェブページの閲覧）を、汎用のパーソナルコンピュータを用いる場合よりも手軽に体験できる。
【０１０８】
（合成映像の生成の概要）
次に、本発明における最大の特徴点である、本実施形態に係るＰＣ内蔵テレビ１においてＴＶ映像とＰＣ映像とを含む合成映像を生成する処理の詳細について以下に説明する。なお、本項における各部材の参照符号は、図１または図３に準じるものとする。
【０１０９】
まず、ユーザーが、リモコンまたはＰＣ内蔵テレビ１に設けられた所定のボタンを押下すると、ＰＣ内蔵テレビ１は、表示モードをＴＶユニット１０において処理されるＴＶ映像と、ＰＣユニット２０において処理されるＰＣ映像とを同時にディスプレイ２に表示するモード（同時表示モード）に変更する。
【０１１０】
動作モードが同時表示モードに切り替わると、ＴＶ映像を生成するコンテンツ処理部１３は、予め定められたＴＶ映像レイアウト情報に基づいて、ＴＶ映像を生成する。同時に、ＴＶユニット１０における制御情報通信部１８は、生成するＰＣ映像のレイアウトを指定するＰＣ映像レイアウト情報をＰＣユニット２０に対して送信する。
【０１１１】
ＰＣ映像レイアウト情報を受信したＰＣユニット２０は、コンテンツ処理部２１において受信したＰＣ映像レイアウト情報に基づいたＰＣ映像を生成する。そして、コンテンツ送信部２３は、生成したＰＣ映像をＴＶユニット１０に対して送信する。
【０１１２】
ＴＶユニット１０におけるコンテンツ合成部１４は、コンテンツ処理部１３において生成したＴＶ映像と、ＰＣユニット２０において生成されたＰＣ映像とを合成して合成映像を生成する。最後に、映像出力部１１が、生成された合成映像をディスプレイ２に出力する。ディスプレイ２は、入力された合成映像を表示パネル上に表示する。これにより、ＴＶ映像とＰＣ映像とがディスプレイ２における画面上に同時に表示されることになる。
【０１１３】
なお、本実施形態におけるレイアウトとは、表示される映像の形状、大きさおよび位置などの表示形態全般を指すものであり、レイアウト情報とはレイアウトを指定するためのパラメータを含む情報を意味している。
【０１１４】
（合成映像の生成の詳細）
ここで、本発明に係るＰＣ内蔵テレビ１における同時表示モード時に生成される合成映像について、図５を参照しつつより具体的に説明する。図５は、ＰＣ内蔵テレビ１における合成映像の生成を模式的に示す図である。
【０１１５】
図５に示すように、ＴＶユニット１０におけるコンテンツ処理部１３は、ＴＶ映像５０を生成する。このとき、コンテンツ処理部１３は、ＴＶ映像レイアウト情報に基づいてＴＶ映像５０を生成する。ＴＶ映像レイアウト情報は、ＴＶユニット１０における記録部（図示しない）に予め記録されている情報である。
【０１１６】
同時に、ＰＣユニット２０におけるコンテンツ処理部２１は、ＰＣ映像６０を生成する。このとき、コンテンツ処理部２１は、ＰＣ映像レイアウト情報に基づいてＰＣ映像６０を生成する。すなわち、ＰＣ映像レイアウト情報は、図５に示すような逆Ｌ字状の形状を指定するレイアウト情報である。なお、ＰＣ映像レイアウト情報は、ディスプレイ２における表示領域からＴＶ映像の表示領域を引いた形状の領域を指定するレイアウト情報であると換言することもできる。
【０１１７】
なお、ＰＣ映像レイアウト情報は、ＴＶ映像レイアウト情報と同様に、ＴＶユニット１０における記録部（図示しない）に予め記録されている情報である。すなわち、ＰＣ映像レイアウト情報は、ＴＶユニット１０における制御情報通信部１８により、ＰＣユニット２０に送信される。
【０１１８】
コンテンツ合成部１４は、図５に示すように、コンテンツ処理部１３において生成したＴＶ映像５０とコンテンツ処理部２１において生成され、ＴＶユニット１０に送信されたＰＣ映像６０とを合成して、合成映像７０を生成する。上述したように、ＰＣ映像６０は、ディスプレイ２の表示領域からＴＶ映像の表示領域を差し引いた表示領域にＰＣ映像を表示するように指定するＰＣ映像レイアウト情報に基づいて生成されるため、合成映像７０において、ＴＶ映像５０とＰＣ映像６０とは重なり合うことはない。
【０１１９】
コンテンツ合成部１４において生成された合成映像７０は、映像出力部１１からディスプレイ２に出力される。これにより、ディスプレイ２において合成映像７０が表示される。
【０１２０】
上述した処理により生成される合成映像７０の一例について、図６を参照しつつ以下に説明する。図６は、ディスプレイ２に表示される合成映像７０の一例を示す図である。
【０１２１】
図６に示すように、ＴＶ映像５０としては、ＴＶユニット１０において受信した放送波をデコードすることにより得られる映像が表示される。ＴＶ映像５０としては、通常、得られる映像の全体が表示される。ただし、表示されるべきＴＶ映像の一部を拡大するようにユーザー操作を受けた場合には、一部の映像を表示するようにしてもよい。
【０１２２】
一方、ＰＣ映像６０としては、ＰＣユニット２０において実行されているアプリケーションに基づいて生成される映像が表示される。このとき、逆Ｌ字状のＰＣ映像６０には、ＰＣ映像として表示されるべき映像の全体が表示される。例えば、ＰＣユニット２０においてアプリケーションウィンドウ６１、６２、６３を表示する場合、逆Ｌ字状のＰＣ映像６０において全てのアプリケーションウィンドウを表示するようにアプリケーションウィンドウ６１、６２、６３を配置する。もちろん、これはアプリケーションウィンドウに限るものではなく、デスクトップ上のアイコンであっても同様である。
【０１２３】
以上説明したように、合成映像７０では、ＴＶ映像５０の背面にＰＣ映像６０が隠れていない。したがって、ＰＣ内蔵テレビ１を操作することによりＴＶユニット１０におけるＴＶ映像５０の生成を停止させた場合、すなわちユーザーがＴＶの視聴をやめた場合、ＴＶ映像５０の表示されていた領域には何も表示されないことになる。
【０１２４】
（合成映像の他の例）
ＰＣ内蔵テレビ１において生成される合成映像は、上述した形状に限定されるものではない。すなわち、ＴＶ映像の形状を指定するＴＶ映像レイアウト情報およびＰＣ映像の形状を指定するＰＣ映像レイアウト情報を変更することにより、生成される合成映像は適宜変更することができる。以下に、生成される合成映像の変形例について、図７および図８を参照して説明する。図７は、ＰＣ内蔵テレビ１における合成映像７０ｂの生成を模式的に示す図である。また、図８は、ＰＣ内蔵テレビ１において、ディスプレイ２に表示される合成映像７０ｂを示す図である。
【０１２５】
図７に示すように、ＴＶユニット１０におけるコンテンツ処理部１３は、ＴＶ映像レイアウト情報に基づいて、ＴＶ映像５０ｂを生成する。
【０１２６】
同時に、ＰＣユニット２０におけるコンテンツ処理部２１は、ＰＣ映像レイアウト情報に基づいて、ＰＣ映像６０ｂを生成する。ＰＣ映像レイアウト情報は、図７に示すようなロの字状の形状を指定するレイアウト情報である。
【０１２７】
コンテンツ合成部１４は、図７に示すように、コンテンツ処理部１３において生成した矩形状のＴＶ映像５０ｂとコンテンツ処理部２１において生成され、ＴＶユニット１０に送信されたロの字状のＰＣ映像６０ｂとを合成して、合成映像７０ｂを生成する。ここでも、先と同様に、ＰＣ映像６０ｂは、ディスプレイ２の表示領域からＴＶ映像の表示領域を差し引いた表示領域にＰＣ映像を表示するように指定するＰＣ映像レイアウト情報に基づいて生成されるため、合成映像７０ｂにおいて、ＴＶ映像５０ｂとＰＣ映像６０ｂとは重なり合うことはない。
【０１２８】
コンテンツ合成部１４において生成された合成映像７０ｂは、映像出力部１１からディスプレイ２に出力される。これにより、ディスプレイ２において合成映像７０ｂが表示される。
【０１２９】
上述した処理により生成される合成映像７０ｂの一例を図８に示す。図８に示すように、ＴＶ映像５０ｂとしては、ＴＶユニット１０において受信した放送波をデコードすることにより得られる映像が表示される。ＴＶ映像５０ｂとしては、通常、得られる映像の全体が表示される。ただし、図８に示すように、ユーザーが表示倍率を変更することにより、表示されるべきＴＶ映像の一部を拡大して表示することもできる。なお、拡大する倍率は、リモコンなどの操作入力デバイスを用いてユーザーが直接入力できるようにしてもよい。
【０１３０】
一方、ＰＣ映像６０ｂとしては、ＰＣユニット２０において実行されているアプリケーションに基づいて生成される映像が表示される。このとき、ロの字状のＰＣ映像６０ｂには、ＰＣ映像として表示されるべき映像の全体が表示される。例えば、ＰＣユニット２０においてアプリケーションウィンドウ６１ｂ、６２ｂを表示する場合、ロの字状のＰＣ映像６０ｂにおいて全てのアプリケーションウィンドウを表示するようにアプリケーションウィンドウ６１ｂ、６２ｂを配置する。もちろん、これはアプリケーションウィンドウに限るものではなく、デスクトップ上のアイコンであっても同様である。
【０１３１】
（合成映像のさらに他の例）
上述の実施形態では、１つのＴＶ映像と１つのＰＣ映像とを合成することにより合成映像を生成する場合を例に挙げて説明したが、もちろん合成映像はこれに限定されるものではない。例えば、ＴＶユニット１０が複数のチューナーを有する場合には、複数のＴＶ映像と１つのＰＣ映像とを合成することにより、合成映像を生成してもよい。
【０１３２】
複数のＴＶ映像と１つのＰＣ映像とを合成した合成映像の一例を図９に示す。図９は、ＴＶ映像５０ｃ、５０ｄとＰＣ映像６０ｃとを合成することにより得られる合成映像７０ｃの一例を示す図である。
【０１３３】
ＴＶユニット１０におけるコンテンツ処理部１３は、ＴＶ映像レイアウト情報に基づいて、第１チューナー（図示しない）において受信した放送波をデコードすることにより得られるＴＶ映像５０ｃを生成すると共に、第２チューナー（図示しない）において受信した放送波をデコードすることにより得られるＴＶ映像５０ｄを生成する。コンテンツ合成部１４は、生成されたＴＶ映像５０ｃおよびＴＶ映像５０ｄと、コンテンツ処理部２１において生成されたＰＣ映像６０ｃとを合成して合成映像７０ｃを生成する。
【０１３４】
これによって、図９に示すように、ディスプレイ２において、２つのＴＶ映像５０ｃ、５０ｄと１つのＰＣ映像６０ｃとを同時に表示させることができる。なお、この場合、スピーカ３から出力される音声は、ユーザーが選択している側のＴＶ映像に関連付けられた音声とすればよい。
【０１３５】
（ＴＶ映像５０を拡大表示した場合）
上述したように、合成映像７０におけるＴＶ映像５０は、表示されるべきＴＶ映像の一部を拡大表示するようにすることもできる。しかし、ＴＶ映像５０を拡大表示している場合、例えば字幕などが画面下部に表示されると、ユーザーは字幕を確認することができなくなってしまう。
【０１３６】
そのため、図１０（ａ）〜（ｃ）に示すように、ユーザーがリモコン９における所定のボタン（例えば、上へのスクロールを指示するボタン）を押下するたびに、ＴＶ映像５０としてディスプレイ２に表示されている映像を上側にスクロールすることができるようにすることが好ましい。これによって、拡大表示することによりユーザーが見ることができなくなった映像についても確認することができるようになる。
【０１３７】
なお、図１０（ａ）〜（ｃ）は、ＴＶ映像５０をスクロールさせることにより映像の下部に表示されている字幕を認識できるようにする様子を示す図であり、（ａ）はＴＶ映像５０を上側にスクロールしており、（ｂ）は（ａ）に示す状態よりもさらにＴＶ映像５０を上側にスクロールしており、（ｃ）は（ｂ）に示す状態よりもさらにＴＶ映像５０を上側にスクロールしている。
【０１３８】
（ＴＶ映像レイアウト情報およびＰＣ映像レイアウト情報）
ＴＶ映像レイアウト情報は、例えば、ＴＶ映像を表示する位置座標および表示形状を指定する情報である。すなわち、コンテンツ処理部１３は、このＴＶ映像レイアウト情報に基づいてＴＶ映像を生成することにより、所定の位置に所定の形状のＴＶ映像を生成することができる。
【０１３９】
ＴＶ映像レイアウト情報を記録する記録部には、ＴＶ映像レイアウト情報が複数記録されていてもよい。この場合、コンテンツ処理部１３が参照するＴＶ映像レイアウト情報は、ユーザーの選択に応じて適宜変更することができる。なお、この場合には、ＰＣ映像レイアウト情報が、ＴＶ映像レイアウト情報に関連付けて記録されている。これによって、ユーザーの選択したＴＶ映像レイアウト情報に基づいて、コンテンツ処理部２１において参照するＰＣ映像レイアウト情報を選択することができる。
【０１４０】
また、上述の実施形態では、ＰＣ映像レイアウト情報が記録部に予め記録されている場合を例に挙げて説明したが、もちろんこれに限定されるものではない。例えば、ＴＶユニット１０における制御部１９は、ディスプレイ２において合成映像を表示する表示領域の形状と、ＴＶ映像レイアウト情報とからＰＣ映像レイアウト情報を生成するようにしてもよい。
【０１４１】
すなわち、制御部１９は、コンテンツ処理部１３の参照するＴＶ映像レイアウト情報に基づいて、ディスプレイ２においてＴＶ映像とＰＣ映像とが重なり合わないようにＰＣ映像を表示するためのＰＣ映像レイアウト情報を生成する。換言すれば、制御部１９は、ディスプレイ２において合成映像を表示する表示領域の形状からＴＶ映像レイアウト情報に基づいて生成されるＴＶ映像の表示領域を差し引いた表示領域の形状を指定するＰＣ映像レイアウト情報を生成する。
【０１４２】
これによって、ＴＶ映像レイアウト情報をユーザーが適宜することができる場合であっても、変更されたＴＶ映像レイアウト情報からＰＣ映像レイアウト情報を生成することができる。
【０１４３】
（ＰＣ内蔵テレビ１の利点）
以上説明したように、ＰＣ内蔵テレビ１では、ＴＶユニット１０が、ＰＣユニット２０の生成するＰＣ映像がＴＶ映像に重ならないように表示レイアウトを指定したＰＣ映像レイアウト情報を送信する制御情報通信部１８を備えている。また、ＰＣユニット２０は、制御情報通信部１８から送信されるＰＣ映像レイアウト情報に基づいて、ＰＣ映像映像を生成するコンテンツ処理部２１を備えている。ＴＶユニット１０は、自ユニットにおいて生成したＴＶ映像とＰＣユニット２０において生成されたＰＣ映像とを合成して合成映像を生成し、それをディスプレイ２に表示する。
【０１４４】
このように、ＰＣ内蔵テレビ１では、ＴＶユニット１０において生成されるＴＶ映像とＰＣユニット２０において生成されるＰＣ映像とを同時にディスプレイ２に表示する際に、ＴＶ映像およびＰＣ映像のいずれか一方の映像が、他方の映像の一部分に重なり合うことにより、他方の映像の一部が表示されなくなることを防ぐことができる。
【０１４５】
すなわち、ＰＣ内蔵テレビ１では、ＴＶユニット１０が表示すべき全ての映像およびＰＣユニット２０が表示すべき全ての映像を、同時にディスプレイ２上に表示することができる。これにより、ユーザーは、煩雑な操作を強いられることなく、ディスプレイ２に表示されるべき全ての映像を確認することができる。
【０１４６】
また、ＰＣ内蔵テレビ１におけるＴＶユニット１０では、合成映像を表示するディスプレイ２の表示領域の形状およびＴＶ映像レイアウト情報に基づいて生成されるＴＶ映像の形状に基づいて、ＰＣ映像レイアウト情報を生成する。これによって、ＰＣ内蔵テレビ１では、ＴＶ映像レイアウト情報またはディスプレイ２を変更した場合であっても、ＴＶ映像レイアウト情報の変更に応じてＰＣ映像レイアウト情報を生成することができる効果を奏する。
【０１４７】
以上に説明した以外にも、ＰＣ内蔵テレビ１には次のような様々な工夫が可能である。
【０１４８】
（メニュー表示の工夫）
ＰＣ内蔵テレビ１では、カテゴリの分類および操作を直感的に分かり易くする。これにより、コンピュータの初心者であっても、ＰＣ内蔵テレビ１を簡単に操作することができる。ポータルウェブサイトを踏襲したカテゴリに対応したメニュー項目を一覧にして表示する。これによりユーザーは、普段使用しているコンピュータと同じ操作によって、同様にメニュー項目を選択できる。
【０１４９】
ＰＣ内蔵テレビ１は、フォーカス中のメニュー項目に応じたコンテンツをＰＣ画面に表示する。そのためユーザーがコンテンツを選択するたびに、ＰＣ画面に表示されている映像が切り換わる。結果、ユーザーは直感的にコンテンツを選択できる。なお、初期設定として、ユーザーにとって魅力的なウェブサイトを予め用意しておくことが好ましい。
【０１５０】
さらにＰＣ内蔵テレビ１にはカテゴリの一種として「便利機能」というメニュー項目がある。ユーザーは、使用頻度の高いソフトウェアアプリケーションを当該便利機能に登録できる。なお、ＴＶ画面に表示されるメニュー項目の表示順位は、コンテンツプロバイダーに応じて変更してもよい。さらに、表示順位に応じて決まる掲載料金を、コンテンツプロバイダーから徴収するビジネスも可能になる。
【０１５１】
ＰＣ内蔵テレビ１は、ディスプレイ２にたとえばユーザーがよく利用するウェブサイトへのリンクをカテゴリ別に分類して項目として易く表示する。この結果、インターネット８上のウェブサイトへアクセスする際の入り口として、ＰＣ機能メニューを活用できる。ユーザーは、ＰＣ画面に切り換える設定等をすることなく、ＴＶ画面を通じて放送番組を視聴中に、この入り口（ＰＣ機能メニュー）から項目を選択することによって、インターネットに直接アクセスできる。これらの工夫によって本発明は、コンピュータの初心者から上級者に至るまで、ＰＣ内蔵テレビ１に対する購入意欲を高めることができる。
【０１５２】
メニュー項目の具体例として、検索ウェブサイト、ウェブログ、ＳＮＳ（Ｓｏｃｉａｌ  Ｎｅｔｗｏｒｋｉｎｇ  Ｓｅｒｖｉｃｅ）、一般情報（たとえば、ニュース、天気、交通情報または路線案内）、暮らしの情報（たとえば、病気、地域情報または子育て）、食べ物（たとえば、飲食店またはレシピ集）、学習（たとえば、辞書または子供の教育）、趣味（たとえば、株、旅行、ショッピングまたはファッション）、または娯楽（たとえば、ゲーム、動画ウェブサイトまたは音楽ダウンロードウェブサイト）などが挙げられる。
【０１５３】
ユーザーは、次の手順によって、上述したカテゴリごとのウェブサイトに接続できる。まず、画面上に表示されたカテゴリ別のＰＣ機能メニューの中から、所望のカテゴリに関するメニュー項目を選択する。次に、選択した項目のカテゴリに属するウェブサイトのＵＲＬリストが表示されるので、当該ＵＲＬリストの中から所望のウェブサイトを選択する。具体的には、画面上にＴＶ主画面、複数のメニュー項目、およびＰＣ子画面が表示されているとき、ユーザーがリモコン操作によって所望のカテゴリのメニュー項目を選択する。その後、たとえばＰＣ主画面を表示するように選択すれば、画面上ではＰＣ画面が大きくなり、インターネット視聴用に切り換わる。
【０１５４】
（利用サービスの多様性）
ＰＣ内蔵テレビ１のユーザーは、従来の汎用コンピュータによって利用可能なインターネットサービスを、全てＰＣ内蔵テレビ１においても利用できる。完全なコンピュータとして機能し、ＴＶユニット１０と連携して動作するＰＣユニット２０が、ＰＣ内蔵テレビ１に備えられているからである。したがってＰＣ内蔵テレビ１は、従来のように限られたインターネットサービスしか利用できないネットテレビに比べて、その活用範囲は遥かに広い。
【０１５５】
（大画面化による利点）
ディスプレイ２にＰＣ全画面を表示した場合、ユーザーは、ＰＣユニット２０をマウス５またはキーボード６を使用して操作できる。ディスプレイ２を大画面としたＰＣ内蔵テレビ１では、ユーザーは、ＰＣコンテンツを大画面かつ高画質のディスプレイ２を通じて楽しむことができる。従来のコンピュータではこのような用途のためにはＰＣ本体の他に別途大画面のディスプレイを用意する必要があった。しかしＰＣ内蔵テレビ１はこれ一台で、コンピュータも大いに活用するパワーユーザーの要望をも満たすことができる。特にＰＣユニット２０はコンピュータであるため各種の周辺機器と連携して機能を柔軟に追加することが可能であり、こうした機能追加によって得られる利点を、大画面かつ高画質の表示を通じてユーザーに実感させることができる。
【０１５６】
（電源の連動）
ユーザーは、ＰＣユニット２０を起動するための煩雑な操作をしなくてもよい。ＰＣ内蔵テレビ１において、ＴＶユニット１０の電源と、ＰＣユニット２０の電源とが連動するからである。すなわち、ＴＶユニット１０ａの電源を入れると同時にＰＣの電源も入る。ＴＶユニット１０の起動完了後、ユーザーは直ちに放送番組の視聴が可能になる。一方、その後もＰＣユニット２０の起動処理は続く。ＴＶユニット１０よりもＰＣユニット２０の方が、起動の完了に要する時間が長いからである。ユーザーは、ＰＣユニット２０の起動完了まで無用にまたせることなく、放送番組を楽しめる。また、ＰＣユニット２０の起動完了後は、リモコン９による簡単な操作によって、いつでもＰＣユニット２０を操作できる。
【０１５７】
（設置の容易性）
ＴＶユニット１０およびＰＣユニット２０が一体化されているため、ユーザーはＰＣ内蔵テレビ１を簡単に設置できる。ＴＶユニット１０のディスプレイ２にＬＥＤバックライト採用してもよい。これにより、ＴＶユニット１０の軽量化および薄型化が可能になるため、ＰＣ内蔵テレビ１の設置方向を縦横のいずれにも自由にできる。
【０１５８】
（ＰＣ内蔵テレビ１の販売）
ＰＣ内蔵テレビ１の外観は、通常のテレビジョン装置のそれに酷似している。したがって、販売店はＰＣ内蔵テレビ１をコンピュータ売り場ではなくテレビ売り場に置く。販売員は、ＰＣ内蔵テレビ１を見込み客に売り込むときに、簡単な操作でコンピュータも利用できることを訴求できる。結果、コンピュータ売り場は行かないがテレビの売り場なら行くような顧客、すなわちコンピュータは苦手だがテレビは使える一般的なユーザーに対し、ＰＣ内蔵テレビ１への購入意欲を高めさせることができる。ＰＣ内蔵テレビ１はコンピュータも使えるという付加価値を有しており、その分単価を高く設定でき、利益率も高い。したがって、ＰＣ内蔵テレビ１の製造会社も、販売店もより高い利益をＰＣ内蔵テレビ１によって得られる。
【０１５９】
（消費電力の表示）
ＰＣ内蔵テレビ１は、自身の消費電力に関する情報を取得し、表示用の情報に変換して、ディスプレイ２に表示してもよい。
【０１６０】
（変形例）
本発明に係るＰＣ内蔵テレビは、ＰＣユニットがＰＣ内蔵テレビから着脱可能な構成であってもよい。ＰＣユニットがＰＣ内蔵テレビから着脱可能なＰＣ内蔵テレビについて図１１（ａ）および（ｂ）ならびに図１２を参照しつつ以下に説明する。
【０１６１】
図１１（ａ）および（ｂ）は、ＰＣ内蔵テレビ１ａの外観を示す図であり、（ａ）は、着脱可能なＰＣユニット２０ａがＴＶユニット１０ａに装着された後のＰＣ内蔵テレビ１ａを表示画面側から見た場合の外観を示す図であり、（ｂ）は、着脱可能なＰＣユニット２０ａがＴＶユニット１０ａに装着される前のＰＣ内蔵テレビ１ａを背面側から見た場合の外観を示す図である。
【０１６２】
この図に示すように、ＰＣ内蔵テレビ１ａは、ＴＶユニット１０ａおよびＰＣユニット２０ａによって構成されている。この点においては、ＰＣ内蔵テレビ１と何ら変わりはない。しかし、ＰＣ内蔵テレビ１ａでは、ＰＣユニット２０ａがＰＣ内蔵テレビ１ａから着脱可能である。したがって、ＰＣ内蔵テレビ１の拡張性および保守性を高めることができる。なお、装着を解除した後、ＴＶユニット１０ａおよびＰＣユニット２０ａは、それぞれ単独で利用することができる。
【０１６３】
ＰＣユニット２０ａには、図１１（ａ）に示すように、複数の外部端子１５０、１５１、１５２が設けられている。外部端子１５０、１５１、１５２としては、具体的には、イーサネット（登録商標）端子、ＵＳＢ端子、および映像／音声入出力端子などを挙げることができる。また、図１１（ｂ）に示すように、ＰＣユニット２０ａには、ＴＶユニット１０ａと信号をやり取りするための外部端子１５３、１５４、１５５も設けられている。外部端子１５３、１５４、１５５としては、具体的には、映像信号（ＨＤＭＩ信号を含むＳＤＶＯ：Ｓｅｒｉａｌ  Ｄｉｇｉｔａｌ  Ｖｉｄｅｏ  ＯｕｔＰｕｔ）端子、制御信号端子、および電源端子などを挙げることができる。これらの端子があることによって、ＰＣユニット２０ａとＴＶユニット１０ａとの間で、映像信号、制御信号、および電源信号を互いに送受信できる。なお、上述した端子に加えて音声信号端子を設け、音声信号を互いに送受信することも当然に可能である。
【０１６４】
ＰＣユニット２０ａは単体で動作可能であり、製品として成り立つ。回路および配線はＰＣユニット２０ａの内部に全て収められ、外部には一切むき出しにされていない。ＴＶユニット１０ａも同様である。したがって両者の接続時に配線の手間が一切不要である。すなわち、ＰＣユニット２０ａをＴＶユニット１０ａに取り付ける場合には、ユーザーはＰＣユニット２０ａをＴＶユニット１０ａに設けられているＰＣユニット装着部位に取り付ければよい。ＰＣ内蔵テレビ１ａでは、ＰＣユニット２０ａをＴＶユニット１０ａに装着する手順が非常に容易であると換言することができる。
【０１６５】
ＰＣ内蔵テレビ１ａから外したＰＣユニット２０ａは、周辺機器に接続させることによって、様々な用途に活用できる。たとえば、モニタと接続可能なクレードルに、取り外したＰＣユニット２０ａを装着する。こうすれば、ＰＣユニット２０ａをデスクトップコンピュータとして使用できる。なお、ＰＣユニット２０ａとクレードルとを接続する端子としては、他にもイーサネット（登録商標）端子、およびシリアルポート端子を利用することができる。
【０１６６】
図１２は、ＰＣ内蔵テレビ１ａの要部構成を示すブロック図である。この図に示すように、ＴＶユニット１０ａのコンテンツ取得部１５は、アンテナ４を通じての他、記録ディスク７からも、インターネット８を通じてからも、また外部機器（外部記憶装置）１６０からも、再生対象のコンテンツを取得できる。すなわち、ＴＶユニット１０ａが処理するコンテンツは、放送番組に限らず、たとえばテキスト、映像、音声、動画等のコンテンツも該当し、さらにこれらの組み合わせからなるマルチメディアコンテンツも該当する。他にも、ウェブページも含まれる。
【０１６７】
以上のように、ＰＣユニット２０ａは周辺機器を活用した拡張性を有しており、従来の汎用コンピュータに比べて活用の幅が広い。また、仮にＰＣユニット２０ａをＴＶユニット１０ａから離脱させた状態でも、あるいはＰＣユニット２０ａが故障した場合でも、ＴＶユニット１０ａ単独で、放送番組および各種のコンテンツを外部から取得することができる。
【０１６８】
また、ＰＣ内蔵テレビ１を構成するＰＣユニット２０は１つに限定されるものではなく、複数であってもよい。本発明に係る映像表示装置における第２の映像生成ユニットが、ＰＣユニットである場合を例に挙げて説明しているが、これに限定されるものではない。第２の映像生成ユニットとしては、ＰＣユニット以外にも例えば、光ディスク再生（録画）ユニット、およびハードディスクレコーダユニットであってもよい。また、本発明に係る映像表示装置において第２のユニットが複数備えられている場合には、第２のユニットが互いに異なる種類のユニットであってもよい。
【０１６９】
（プログラムおよび記録媒体）
最後に、ＰＣ内蔵テレビ１を構成するＴＶユニット１０およびＰＣユニット２０に含まれる各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１７０】
すなわちＴＶユニット１０またはＰＣユニット２０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１７１】
この記録媒体は、上述した機能を実現するソフトウェアであるＴＶユニット１０またはＰＣユニット２０のプログラムのプログラムコード（実行形式プログラム、中間コードプログラム、ソースプログラム）をコンピュータで読み取り可能に記録していればよい。ＴＶユニット１０またはＰＣユニット２０に、この記録媒体を供給する。これにより、コンピュータとしてのＴＶユニット１０またはＰＣユニット２０（またはＣＰＵやＭＰＵ）が、供給された記録媒体に記録されているプログラムコードを読み出し、実行すればよい。
【０１７２】
プログラムコードをＴＶユニット１０またはＰＣユニット２０に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１７３】
また、ＰＣ内蔵テレビ１を通信ネットワークと接続可能に構成しても、本発明の目的を達成できる。この場合、上記のプログラムコードを、通信ネットワークを介してＰＣ内蔵テレビ１（ＴＶユニット１０またはＰＣユニット２０）に供給する。この通信ネットワークはＰＣ内蔵テレビ１（ＴＶユニット１０またはＰＣユニット２０）にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１７４】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１７５】
なお、ＰＣ内蔵テレビ１ａを構成する各ブロックにおいても同様である。
【０１７６】
本発明は上述した実施形態に限定されるものではなく、請求項に示した範囲で種々の変更が可能であり、実施形態に開示された技術的手段を適宜組み合わせて得られる実施形態についても本発明の技術的範囲に含まれる。
【産業上の利用可能性】
【０１７７】
本発明に係る映像表示装置は、ＰＣユニットを内蔵したテレビジョン受像機として好適に利用することができる。より具体的には、ＰＣユニットとＴＶユニットとが協働することにより、双方のユニットのそれぞれにおいて生成した映像を単一の表示装置に同時表示することができるテレビジョン受像機として好適に利用することができる。
【符号の説明】
【０１７８】
１      ＰＣ内蔵テレビ（映像表示装置）
１ａ    ＰＣ内蔵テレビ（映像表示装置）
２      ディスプレイ
３      スピーカ
４      アンテナ（放送波受信手段）
５      マウス
６      キーボード
７      記録ディスク
８      インターネット
９      リモコン
１０    ＴＶユニット（第１のユニット）
１０ａ  ＴＶユニット（第１のユニット）
１１    映像出力部（表示手段）
１２    音声出力部
１３    コンテンツ処理部（第１の映像生成手段）
１４    コンテンツ合成部（合成映像生成手段）
１５    コンテンツ取得部
１６    コンテンツ受信部
１７    ユーザ入力部
１８    制御情報通信部（レイアウト情報送信手段）
１９    制御部（レイアウト情報生成手段）
２０    ＰＣユニット（第２のユニット）
２０ａ  ＰＣユニット（第２のユニット）
２１    コンテンツ処理部（第２の映像生成手段）
２２    コンテンツ取得部
２３    コンテンツ送信部（第２の映像送信手段）
２４    記憶部
２５    制御情報通信部
２６    ユーザ入力部
２７    制御部
２８    アプリケーション実行部（実行手段）
【図１】
2011119992.tif 000003
【図２】
2011119992.tif 000004
【図３】
2011119992.tif 000005
【図４】
2011119992.tif 000006
【図５】
2011119992.tif 000007
【図６】
2011119992.tif 000008
【図７】
2011119992.tif 000009
【図８】
2011119992.tif 000010
【図９】
2011119992.tif 000011
【図１０】
2011119992.tif 000012
【図１１】
2011119992.tif 000013
【図１２】
2011119992.tif 000014